(57)【要約】【課題】横積み接続構法における壁パネルを、奥行き方向の大きさを増すことなく十分な強度を保持し、且つ設計・施工に追加の負担をかけることなく連結する壁パネル連結構造を提供する。【解決手段】表面材の外縁を背面方向へ略直角に折曲した折曲部を、断面視が室内側に開口部を形成する略凹状に折曲された支柱の上記開口部内に嵌入係止させて隣接する上記壁パネル同士を連結する浴室ユニットの壁パネル連結構造において、上記支柱は、床面近傍から天井面近傍まで至る１本の板状部材で形成され、断面視におけるその両端部に上記壁パネルの上記裏打材端部が当接されるバックアップ材と、断面視が室内側に開口部を形成する略凹状に折曲されその両端がそれぞれ更に内方に折曲されて形成され、取り付けられた上記壁パネルの上縁折曲部及び下縁折曲部間に納まる長さを有し、上記バックアップ材の室内側の面略中央に沿って固定される１又は複数のジョイナーとを備える。【選択図】  図２
2007315006.tif 000002
【特許請求の範囲】
【請求項１】
裏打材に裏打ちされた表面材の上記裏打材四周から延出する外縁を背面方向へ略直角に折曲した折曲部を有し側縁部では該折曲部の先端を更に内方に折曲した折返し部を有する壁パネルの上記折返し部を、断面視が室内側に開口部を形成する略凹状に折曲されその両端がそれぞれ更に内方に折曲された支柱の上記開口部内に嵌入係止させて隣接する上記壁パネル同士を連結する浴室ユニットの壁パネル連結構造において、上記支柱は、
床面近傍から天井面近傍まで至る１本の板状部材で形成され、断面視におけるその両端部に上記壁パネルの上記裏打材端部が当接されるバックアップ材と、
断面視が室内側に開口部を形成する略凹状に折曲されその両端がそれぞれ更に内方に折曲されて形成され、取り付けられた上記壁パネルの上縁折曲部及び下縁折曲部間に納まる長さを有し、上記バックアップ材の室内側の面略中央に沿って固定される１又は複数のジョイナーと、
を備えることを特徴とする壁パネルの連結構造。
【請求項２】
前記バックアップ材は、断面が略Ｌ字状に形成されたことを特徴とする請求項１記載の壁パネル連結構造。
【請求項３】
前記バックアップ材は、断面が下底側が解放された内角１３５°の略等脚台形状に形成されたことを特徴とする請求項１記載の壁パネル連結構造。
【請求項４】
前記バックアップ材は、断面視における両端部が室内側へ膨出するように略Ｚ字状に更に折曲されたことを特徴とする請求項２及び３のいずれかに記載の壁パネル連結構造。
【発明の詳細な説明】
【技術分野】
【０００１】
本発明は、浴室ユニット等の壁面を構成する壁パネルの連結構造に係り、特に横長の壁パネルを床から天井まで複数積み上げて壁面を構成する横積み接続構法の壁パネルの連結構造に関する。
【背景技術】
【０００２】
浴室ユニット等の壁面を、化粧鋼板等の表面材をプラスターボード等の裏打材で裏打ちした壁パネルの両側縁を、床パン周縁に立設された支柱に係合させて構成するものが従来行われている（例えば、特許文献１参照。）。
【０００３】
このように構成された壁面の一例を図６に示す。同図の例は、建築壁ＢＷの入隅部に壁パネル５０同士を直角に連結して内壁を形成する場合を示している。
【０００４】
壁パネル５０は、鋼板等で形成された表面材５１が、外縁部を除いてプラスターボード、グラスウール等の裏打材５３で裏打ちしてある。また、この例では、室外側の裏面には鋼板等で形成された裏面材５２が貼着されている。
【０００５】
表面材５１には、側縁部を背面方向（建築壁ＢＷ側）へ略直角に折曲げた折曲部５１ａと、この折曲部５１ａの先端を更に室内側内方に折曲した折返し部５１ｂが形成される。
【０００６】
一方、表面材５１の上縁部及び下縁部には、図７に示すように、背面方向（建築鍋ＢＷ側）へ略直角に折曲げた折曲部５１ａＡが形成される。そして、壁パネル５０の四隅では、折曲部５１ａと折曲部５１ａＡとが接合されて、表面材５１は、裏打材５３側が解放された直方体、いわゆる弁当箱状に形成される。
【０００７】
ここで使用される隅支柱１２０は、鋼板を折曲げて断面視正方形状のものの一角を切り落として斜面部１２０ａを形成し、この斜面部１２０ａと対向する一角に開口ＯＰを設けた構成になっている。開口ＯＰを臨む部分には、鋼板の両端部を夫々更に内側に折曲げて壁パネル５０表面側内方へ突出させ、壁パネル５０の折返し部５１ｂと衝合する凸部１２０ｂを形成している。
【０００８】
この隅支柱１２０の開口ＯＰ内に隣接する壁パネル５０、５０の折曲部５１ａ同士を圧入し、両折曲部５１ａの隙間にコーナー目地材２６を叩き込み、壁パネル５０が連結される。
【０００９】
ところで、浴室ユニットには、支柱横に、壁パネルを介在させることなく、窓枠が設けられることがある。この場合、窓枠下に位置する腰壁パネルは、支柱の凸部と壁パネルの上縁部の折曲部とが干渉して、そのままでは所定の位置に取り付けることができない。
【００１０】
そこで、現状では、図８に示すように、壁パネル５０の折曲部５１ａＡと干渉する部分の隅支柱１２０の凸部１２０ｂを切り欠くことにより、壁パネル５０を納めている。
【００１１】
この事情は、支柱横に、壁パネルを介在させることなくドア枠が取り付けられる場合に、ドア枠上に垂れ壁を設けるときの、垂れ壁パネル下縁部の折曲部と支柱の凸部との関係においても同様である。
【特許文献１】特開平６−１０８５６０号公報
【発明の開示】
【発明が解決しようとする課題】
【００１２】
このような場合であっても、床から天井までの高さを有する縦長の壁パネルを並列接続して壁面を構成する従来の壁構法では、一つの支柱に対して左右いずれか一方に一箇所多くても二箇所が切り欠かれるだけなので、強度の低下もそれ程大きなものではない。
【００１３】
また、斯かる切欠き作業は、通常浴室ユニットが据え付けられる現場において行われるが、一つの浴室ユニットにおいて一箇所又は二箇所程度に止まるので、大きな追加作業とはならず、作業員にとって過度な追加負担にならない。
【００１４】
しかしながら、浴室の一の隅部から他の隅部までの幅を有する横長の壁パネルを床から天井まで複数積み上げて壁面を構成する横積み接続構法の壁では、隅支柱１２０の両側の凸部１２０ｂが同じ高さの箇所で切り欠かれるので、無視できない強度低下をもたらすことになる。
【００１５】
この強度不足を解消すべく、隅支柱１２０の奥行きを大きくすると、隅支柱１２０背面と建築壁ＢＷとの隙間ＳＰは既に最小限に抑えられているので、壁パネル５０が室内側へ迫り出して、浴室ユニットの内部空間が狭くなるというディレンマが生じる。
【００１６】
逆に、図９に示すように、表面材５１の上縁曲折部５１ａＡ側を切り欠いて切欠部５１ｃを設けてここに隅支柱１２０の凸部１２０ｂを納めることもできるが、そこには裏打材５３が裏打ちされていないので、その部分の面外強度が極端に弱くなってしまい、同図に破線で示すように、この周りで屈曲する虞がある。
【００１７】
また、隅支柱１２０を切り欠くにしても或いは表面材５１を切り欠くにしても、壁パネル毎に二箇所の切欠きを設けなければならず、この切欠き作業を浴室ユニット据付現場で行うことは煩に堪えない。
【００１８】
それでは、予め所定の位置に切り欠きを設けた支柱を設計して、工場内で加工し、在庫を持っておいてはどうか。この点、横積み接続構造では、意匠上の観点から、色や柄を上段の壁パネルと下段の壁パネルとで変えることがあるが、これを、例えば、浴槽天端の高さに合わせて変えるのか、或いは窓下枠の高さに合わせて変えるのか等によって壁パネルの高さも変わることになり、それぞれの壁パネルのサイズに合わせて強度を算出、検討して設計しなければならず、また、在庫管理も煩雑になる。
【００１９】
本発明は、上述した事情を考慮してなされたもので、横積み接続構法における壁パネルを、奥行き方向の大きさを増すことなく十分な強度を保持し、且つ設計・施工に追加の負担をかけることなく連結する壁パネル連結構造を提供することを目的とするものである。
【課題を解決するための手段】
【００２０】
本発明に係る壁パネル連結構造は、上述した課題を解決するために、請求項１に記載したように、裏打材に裏打ちされた表面材の上記裏打材四周から延出する外縁を背面方向へ略直角に折曲した折曲部を有し側縁部では該折曲部の先端を更に内方に折曲した折返し部を有する壁パネルの上記折返し部を、断面視が室内側に開口部を形成する略凹状に折曲されその両端がそれぞれ更に内方に折曲された支柱の上記開口部内に嵌入係止させて隣接する上記壁パネル同士を連結する浴室ユニットの壁パネル連結構造において、上記支柱は、床面近傍から天井面近傍まで至る１本の板状部材で形成され、断面視におけるその両端部に上記壁パネルの上記裏打材端部が当接されるバックアップ材と、断面視が室内側に開口部を形成する略凹状に折曲されその両端がそれぞれ更に内方に折曲されて形成され、取り付けられた上記壁パネルの上縁折曲部及び下縁折曲部間に納まる長さを有し、上記バックアップ材の室内側の面略中央に沿って固定される１又は複数のジョイナーとを備えるものである。
【００２１】
前記バックアップ材は、好適には、請求項２に記載したように、断面が略Ｌ字状に形成されたものとすることができ、或いは請求項３に記載したように、断面が下底側が解放された内角１３５°の略等脚台形状に形成されたものとすることもできる。
【００２２】
また、前記バックアップ材は、好適には、請求項４に記載したように、断面視における両端部が室内側へ膨出するように略Ｚ字状に更に折曲されたものとしてもよい。
【発明の効果】
【００２３】
本発明に係る壁パネル連結構造によれば、横積み接続構法における壁パネルを、奥行き方向の大きさを増すことなく十分な強度を保持し、且つ設計・施工に追加の負担をかけることなく得ることができる。
【発明を実施するための最良の形態】
【００２４】
本発明に係る壁パネル連結構造の実施の形態について、添付図面を参照して説明する。図１は、本発明に係る壁パネル連結構造が採用された浴室ユニットの概要を示す斜視図である。
【００２５】
本実施形態に示された浴室ユニット１の床パン１０は、ＢＭＣやＳＭＣ等のＦＲＰで成形され、入浴者が洗髪や洗体を行う洗い場部１５と浴槽１６が載置される浴槽載置部（図示せず）とに大別される。
【００２６】
洗い場部１５の、浴槽載置部６と対向する辺以外の三方の外縁は、壁パネル５０や出入口を画成するドア枠（図示せず）を載置可能な壁パネル載置部１４として同一レベルに形成され、浴槽載置部と対向する辺の中央に設けられた排水凹部１７を指向して下り勾配が形成されている。
【００２７】
同図に示すように、洗い場部１５及び浴槽載置部の各入隅部には、コーナー支柱２０が立設され、隣接するコーナー支柱２０，２０の頂部には、天井繋ぎ材４０が架設される。
【００２８】
浴室ユニット１の壁面は、下段壁パネル５０Ａの上に中段壁パネル５０Ｂ（以下総称する場合は、壁パネル５０と呼ぶ。）が載置され、さらにその上に上段壁パネル５０Ｃが載置される所謂横積み構法で構成される。なお、本実施形態では、壁面は下段壁パネル５０Ａ、中段壁パネル５０Ｂ及び上段壁パネル５０Ｃの３段で構成される場合を例にとっているが、これは２段或いは４段以上の段数を有するものであってもよい。
【００２９】
隅支柱２０は、図２に示すように、バックアップ材２１とジョイナー２２を主要構成要素とする。バックアップ材２１は、亜鉛めっき鋼板やステンレス鋼板等を折曲して断面視が下底側が解放された内角１３５°の略等脚台形状に形成され、壁パネル載置部１４近傍から図示しない天井近傍まで至る長さを有し、床パン１０に強固に固定される。
【００３０】
ジョイナー２２は、同じく亜鉛めっき鋼板やステンレス鋼板等を折曲して、断面視正方形状のものの一角を切り落として斜面部２２ａを形成し、この斜面部２２ａと対向する一角に開口ＯＰを設けた構成になっている。開口ＯＰを臨む部分には、鋼板の両端部を夫々更に内側に折曲げて壁パネル５０表面側内方へ突出させ、壁パネル５０の後述する折返し部５１ｂと衝合する凸部２２ｂを形成している。
【００３１】
ジョイナー２２は、図３に示すように、バックアップ材２１の全長に亘って設けられるのではなく、下段壁パネル５０Ａと中段壁パネル５０Ｂとが接合される高さの近傍において切断され、同様に、中段壁パネル５０Ｂと上段壁パネル５０Ｃとが接合される高さの近傍においても切断されて、複数のピースからなり、その各々がバックアップ材２１にねじ６０によりねじ止めされる。
【００３２】
ジョイナー２２は、長尺の材料を、壁パネル５０の上縁側から下縁側までの長さより若干短く切断することにより形成される。この切断は工場で行っても浴室ユニット据付現場で行ってもよい。この切断は、従来の隅支柱に切欠きを設ける場合に比べ、作業が単純であり、したがって、作業の負担が軽減される。また、浴室ユニットの種類によって、壁パネル５０の上縁側から下縁側までの長さが異なる場合でも、柔軟に対応することができる。
【００３３】
壁パネル５０の室内側の表面材５１は化粧鋼板等で、また、室外側の裏面材５２は鋼板等で形成され、両者は、両側縁部を除いてプラスターボード、グラスウール等の裏打材５３に貼着され一体化される。表面材５１は、側縁部を背面方向（室外側）へ略直角に折曲げた折曲部５１ａと、この折曲部５１ａの先端を反転折曲した折返し部５１ｂを形成する。
【００３４】
このジョイナー２２の開口ＯＰ内に隣接する壁パネル５０，５０の折曲部５１ａ同士が挿入され、両折曲部５１ａ，５１ａの隙間にコーナー目地材２６が嵌挿されることにより壁パネルが立設される。
【００３５】
バックアップ材２１の斜辺部２１ａの先端は、室内側に膨出するように更にＺ字状に折曲され、壁パネル当接部２１ｂが形成される。この壁パネル当接部２１ｂは、壁パネル５０の裏面材５２に当接して、壁パネル５０を背面から支える役割を果たしている。
【００３６】
これにより、壁パネル５０は、ジョイナー２１の凸部２１ｂが裏打材５３のない箇所で表面材５１を背面から支えるのに対し、裏打材５２により裏打ちされた部分で面外方向にかかる力に対抗できるので、面外強度が飛躍的に増大する。
【００３７】
また、図４に示すように、バックアップ材２１の斜辺部２１ａと壁パネル５０の裏面材５２との間に間隙ｔができるので、天井繋ぎ材４０をバックアップ材２１にねじ止めする場合になべねじ６１を使用しても、ねじ頭が裏面材と干渉することが回避される。
【００３８】
図５は、入隅部の右半分側に本実施形態に係る隅支柱２０を、左半分側に従来の隅支柱１２０を示し、これらの強度を比較するものである。同図に示すように、本実施形態に係る隅支柱２０では、バックアップ材２１の斜辺部２１ａが長く形成されていることにより、Ｘ軸周り、Ｙ軸周りのいずれにおいても従来の隅支柱１２０より断面二次モーメントが大きく強度上有利である。
【００３９】
特に、壁パネル５０の上縁及び／又は下縁の折曲部５１ａＡとの干渉を回避するために隅支柱１２０の凸部１２０ｂが切り欠かれた従来の隅支柱１２０では、Ｘ軸周りの断面二次モーメントはさらに大きく減少する。この切欠きは、左右同じ高さの箇所で同時に設けられるので、その高さにおいて著しく強度が不足し、最悪室内側へ折れ曲がることもあり得る。しかし、本実施形態に係る隅支柱２０では、このような切欠きを設ける必要がないので、Ｘ軸周り及びＹ軸周りに十分な強度が確保されるだけでなく、よじれに対しても大きな強度を得ることができる。
【００４０】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４１】
例えば、本実施形態では、浴室の一の隅部から他の隅部までの幅を有する横長の壁パネルを床から天井まで複数積み上げて壁面を構成する横積み接続構法の壁を例にとって説明したが、床から天井までの高さを有する縦長の壁パネルを並列接続して壁面を構成する従来の壁構法において、支柱横に、壁パネルを介在させることなく、窓枠を設ける場合等でも採用することができる。
【００４２】
また、バックアップ材を、平板の両端を、室内側に膨出するようにＺ字状に折曲して形成して壁面の中間部分に立設される平支柱として形成することも可能である。この平支柱によれば、一の壁面を二枚又はそれ以上の横長の壁パネルで構成して大スパン空間を得ることもできるようになる。
【００４３】
さらに、浴室ユニットにとらわれることなく、トイレユニットやシャワーユニット等のユニットルームに採用してもよい。
【図面の簡単な説明】
【００４４】
【図１】本発明に係る壁パネル連結構造により壁パネルが取付られた浴室ユニットの概要を示す斜視図。
【図２】本発明に係る壁パネル連結構造の実施形態を示す横断面図。
【図３】本発明に係る壁パネル連結構造の実施形態を示す斜視図。
【図４】本実施形態に係る壁パネル連結構造のバックアップ材と天井つなぎ材との取合い図。
【図５】本実施形態に係る壁パネル連結構造と従来構造との強度比較を説明する図。
【図６】従来の隅支柱構造を示す横断面図。
【図７】壁パネルの縦断面図。
【図８】従来の隅支柱と壁パネルの表面材との取合い図で、隅支柱を切欠いた場合を示す図。
【図９】従来の隅支柱と壁パネルの表面材との取合い図で、表面材を切欠いた場合を示す図。
【符号の説明】
【００４５】
１  浴室ユニット
１０  床パン
１４  壁パネル載置部
１５  洗い場部
１６  浴槽
１７  排水凹部
２０  隅支柱
２１  バックアップ材
２１ａ  斜辺部
２１ｂ  壁パネル当接部
２２  ジョイナー
２２ａ  斜面部
２２ｂ  凸部
２６  コーナー目地材
４０  天井繋ぎ材
５０  壁パネル
５１  表面材
５１ａ，５１ａＡ  折曲部
５１ｂ  折返し部
５１ｃ  切欠部
５２  裏面材
５３  裏打材
６０，６１  ねじ
ＢＷ  建築壁
ＯＰ  開口
【図１】
2007315006.tif 000003
【図２】
2007315006.tif 000004
【図３】
2007315006.tif 000005
【図４】
2007315006.tif 000006
【図５】
2007315006.tif 000007
【図６】
2007315006.tif 000008
【図７】
2007315006.tif 000009
【図８】
2007315006.tif 000010
【図９】
2007315006.tif 000011